(57)【特許請求の範囲】
【請求項１】
合成樹脂板により形成された底板１に左側板２と右側板３とを折曲部４、５を介して連設し、前記底板１の表面には前後一対の起立片６、７を一体的に形成し、前記左側板２の頭部には水平天井部８を連設し、該天井部８の終端には下方に垂設するパック押え片９を連設し、前記天井部８には半螺筒１０を一体的に形成し、前記右側板３の頭部には水平天井部１１を連設し、該天井部１１の終端には下方に垂設するパック押え片１２を連設し、前記天井部８には半螺筒１３を一体的に形成し、前記半螺筒１０、１３に別途形成されたポンプ１５の首部１６を螺合させると前記パック押え片９、１２は接合するようにし、該パック押え片９、１２の間に詰め替え用のパック１４の上部を挾持させ、該パック１４の底部１８を前記起立片６、７上に係合させ、前記ポンプ１５の脚部１７を前記パック１４内に挿入してなるヘアシャンプー用具。
【請求項２】
ステンレスのような銹びない線杆で屈曲形成された左側部１９と右側部２０とを相対峙させ、該左側部１９の底部杆２１と前記右側部２０の底部杆２２とを前後複数の連結杆２３で連結させて一体化させ、該連結杆２３の上面には前記線杆を折曲させて形成した前後に起立片６、７のある起立杆２４を溶接して固定し、前記左側部１９と前記右側部２０の上部には、別途形成されたポンプ１５の首部１６が係合する係合部２５、２６を形成し、該係合部２５、２６に前記ポンプ１５の前記首部１６を係合させると前記左側部１９と前記右側部２０の上部挾持部２７、２８は互いに当接するように構成し、該上部挾持部２７、２８の間で詰め替え用のパック１４の上部を挾持させ、該パック１４の底部１８を前記起立片６、７上に係合させ、前記ポンプ１５の脚部１７を前記パック１４内に挿入したヘアシャンプー用具。
【発明の詳細な説明】
【０００１】
【産業上の利用分野】
本発明は、ヘアシャンプー用具（類似の洗剤・リンスを含む）に関するものである。
【０００２】
【従来技術】
従来、各家庭では、ポンプ入りのシャンプーやリンス等が使用してなくなったときには、詰め替え用のパックを購入して詰め替えていた。
【０００３】
【発明が解決しようとする課題】
前記ヘアシャンプー用具の詰め替え作業は、面倒という人がおり、その人は、毎回ヘアシャンプー用具を購入使用するので、かなりの容積を占める容器が廃品として廃棄され、公害となっていた。そこで、本願は、詰め替え容器そのものを、容易に使用できるように工夫したものである。詰め替え容器でも、使用後は廃棄することになるが、ヘアシャンプー用具とは異なり、嵩ばらないから、公害は少なくなる。
【０００４】
【課題を解決するための手段】
よって、本発明は、合成樹脂板により形成された底板１に左側板２と右側板３とを折曲部４、５を介して連設し、前記底板１の表面には前後一対の起立片６、７を一体的に形成し、前記左側板２の頭部には水平天井部８を連設し、該天井部８の終端には下方に垂設するパック押え片９を連設し、前記天井部８には半螺筒１０を一体的に形成し、前記右側板３の頭部には水平天井部１１を連設し、該天井部１１の終端には下方に垂設するパック押え片１２を連設し、前記天井部８には半螺筒１３を一体的に形成し、前記半螺筒１０、１３に別途形成されたポンプ１５の首部１６を螺合させると前記パック押え片９、１２は接合するようにし、該パック押え片９、１２の間に詰め替え用のパック１４の上部を挾持させ、該パック１４の底部１８を前記起立片６、７上に係合させ、前記ポンプ１５の脚部１７を前記パック１４内に挿入してなるヘアシャンプー用具としたものである。
また、ステンレスのような銹びない線杆で屈曲形成された左側部１９と右側部２０とを相対峙させ、該左側部１９の底部杆２１と前記右側部２０の底部杆２２とを前後複数の連結杆２３で連結させて一体化させ、該連結杆２３の上面には前記線杆を折曲させて形成した前後に起立片６、７のある起立杆２４を溶接して固定し、前記左側部１９と前記右側部２０の上部には、別途形成されたポンプ１５の首部１６が係合する係合部２５、２６を形成し、該係合部２５、２６に前記ポンプ１５の前記首部１６を係合させると前記左側部１９と前記右側部２０の上部挾持部２７、２８は互いに当接するように構成し、該上部挾持部２７、２８の間で詰め替え用のパック１４の上部を挾持させ、該パック１４の底部１８を前記起立片６、７上に係合させ、前記ポンプ１５の脚部１７を前記パック１４内に挿入したヘアシャンプー用具としたものである。
【０００５】
【実施例】
本発明の一実施例を図面により説明すると、図１〜図８は第一実施例で、全体は合成樹脂板により形成され、図４のように底板１に左側板２と右側板３を連設して形成し、左側板２と右側板３とを折曲部４、５より折曲げて、図３のように組立てる。前記底板１の表面には、前後一対の起立片６、７を一体的に形成する。前記左側板２の上端部には水平天井部８を一体的に形成し、天井部８の終端にはパック押え片９を連設する。又、天井部８には上方に突出す半螺筒１０を一体的に形成する。
【０００６】
前記右側板３の上端部には水平の天井部１１を形成し、天井部１１の終端にはパック押え片１２を連設し、又、半螺筒１３を上方に向けて一体的に形成する。パック押え片９とパック押え片１２は組立てて合わせるとき詰め替え用のパック１４を挾持し、半螺筒１０と半螺筒１３は合わさって１個の螺筒を形成する。
【０００７】
このように形成されたパック押え片９とパック押え片１２の間にパック１４の上部を挾持させパック１４の底部１８を起立片６、７で支持させ、上方から図２のポンプ１５の脚部１７をパック１４に挿入し、ポンプ１５の首部１６を半螺筒１０、１３に螺合すると簡単に挿着できる。
【０００８】
次に図９〜図１３は第２実施例で、針金を曲げて形成したものである。材料はステンレスのような銹びない線杆で形成され、左側部１９と右側部２０を曲げて形成して任意の部分を接合してエンドレスに溶着し、左側部１９の底部杆２１と右側部２０の底部杆２２とを相対峙させて前後一対の連結杆２３で連結させて一体化させ、連結杆２３上には、前記線杆を曲げて形成した起立片６、７のある起立杆２４を溶接して固定し、左側部１９と右側部２０の上部には、係合部２５、２６を形成したものである。
【０００９】
【作用】
次に作用を述べる。
本願は上述の構成であるから、第１実施例では、展開して形成されている左側板２及び右側板３を図３のように組立て、ポンプ１５の首部１６を半螺筒１０と半螺筒１３に螺合させれば、左側板２のパック押え片９と右側板３のパック押え片１２は接合し、その間でパック１４の肩の部分を挾持できる。そこで、パック１４の底部１８を前記起立片６、７上に係合させて支受させ、前記ポンプ１５の脚部１７を前記パック１４内に挿入すると、前記ポンプ１５操作で、ヘアシャンプーをすることがで、パック１４の底部１８が前記起立片６、７上に係合させて支受されていることから、図８のように、最後まで汲み上げることができる。
第２実施例も同じである。
【００１０】
【発明の効果】
本発明は、合成樹脂板により形成された底板１に左側板２と右側板３とを折曲部４、５を介して連設し、前記底板１の表面には前後一対の起立片６、７を一体的に形成し、前記左側板２の頭部には水平天井部８を連設し、該天井部８の終端には下方に垂設するパック押え片９を連設し、前記天井部８には半螺筒１０を一体的に形成し、前記右側板３の頭部には水平天井部１１を連設し、該天井部１１の終端には下方に垂設するパック押え片１２を連設し、前記天井部８には半螺筒１３を一体的に形成し、前記半螺筒１０、１３に別途形成されたポンプ１５の首部１６を螺合させると前記パック押え片９、１２は接合するようにし、該パック押え片９、１２の間に詰め替え用のパック１４の上部を挾持させ、該パック１４の底部１８を前記起立片６、７上に係合させ、前記ポンプ１５の脚部１７を前記パック１４内に挿入してなるヘアシャンプー用具としたものであるから、ヘアシャンプー用具の詰め替えは必要なく、毎回ヘアシャンプー用具を購入して廃棄しないから、公害を防止できる。
また、ステンレスのような銹びない線杆で屈曲形成された左側部１９と右側部２０とを相対峙させ、該左側部１９の底部杆２１と前記右側部２０の底部杆２２とを前後複数の連結杆２３で連結させて一体化させ、該連結杆２３の上面には前記線杆を折曲させて形成した前後に起立片６、７のある起立杆２４を溶接して固定し、前記左側部１９と前記右側部２０の上部には、別途形成されたポンプ１５の首部１６が係合する係合部２５、２６を形成し、該係合部２５、２６に前記ポンプ１５の前記首部１６を係合させると前記左側部１９と前記右側部２０の上部挾持部２７、２８は互いに当接するように構成し、該上部挾持部２７、２８の間で詰め替え用のパック１４の上部を挾持させ、該パック１４の底部１８を前記起立片６、７上に係合させ、前記ポンプ１５の脚部１７を前記パック１４内に挿入したヘアシャンプー用具としたものであるから、ステンレスのような銹びない線杆で屈曲形成されているから、適当な重量があって、安定感があり、その他前記と同様の効果がある。
【図面の簡単な説明】
【図１】第１実施例斜視図。
【図２】ポンプ斜視図。
【図３】本体組立斜視図。
【図４】第１実施例展開図。
【図５】第１実施例展開側面図。
【図６】第１実施例側面図。
【図７】第１実施例上部斜視図。
【図８】第１実施例下部断面図。
【図９】第２実施例本体側面図。
【図１０】第２実施例本体斜視図。
【図１１】第２実施例本体平面図。
【図１２】第２実施例本体正面図。
【図１３】第２実施例完成斜視図。
【符号の説明】
１…底板、２…左側板、３…右側板、４…折曲部、５…折曲部、６…起立片、７…起立片、８…天井部、９…パック押え片、１０…半螺筒、１１…天井部、１２…パック押え片、１３…半螺筒、１４…パック、１５…ポンプ、１６…首部、１７…脚部、１８…底、１９…左側部、２０…右側部、２１…底部杆、２２…底部杆、２３…連結杆、２４…起立杆、２５…係合部。
【図１】
0003936464.tif 000002
【図２】
0003936464.tif 000003
【図３】
0003936464.tif 000004
【図４】
0003936464.tif 000005
【図５】
0003936464.tif 000006
【図６】
0003936464.tif 000007
【図７】
0003936464.tif 000008
【図８】
0003936464.tif 000009
【図９】
0003936464.tif 000010
【図１０】
0003936464.tif 000011
【図１１】
0003936464.tif 000012
【図１２】
0003936464.tif 000013
【図１３】
0003936464.tif 000014